(57)【要約】【課題】コスト低減が図れるつば付き容器用ホルダーを提供する。【解決手段】底部パネル１１と頂部パネル１２とを有したつば付き容器用ホルダー１０において、底部パネル１１には、つば付き容器１のつば部２の下面を支持する大きさのつば部支持穴１７が形成され、底部パネル１１でつば部２の下面を支持する。【選択図】      図１
2012136244.tif 000002
【特許請求の範囲】
【請求項１】
底部パネルと頂部パネルとを有したつば付き容器用ホルダーにおいて、前記底部パネルには、つば付き容器のつば部の下面を支持する大きさのつば部支持穴が形成され、前記底部パネルでつば部の下面を支持することを特徴とするつば付き容器用ホルダー。
【請求項２】
前記底部パネルと前記頂部パネル間には、最下段のつば部の厚さと、この最下段のつば付き容器に積み重ねられるつば付き容器の高さとを加えた長さの側部パネルが折り線によって連設して設けられ、前記頂部パネルの他方及び前記底部パネルの他方には、前記頂部パネルと前記底部パネルとを係合させる結合部が形成されていることを特徴とする請求項１記載のつば付き容器用ホルダー。
【発明の詳細な説明】
【技術分野】
【０００１】
本発明は、納豆、ヨーグルト、プリン等の物品を充填したつば付き容器用ホルダーに関する。
【背景技術】
【０００２】
平面的に配置したつば付き容器を保持させるつば付き容器用ホルダーは、底部パネルと、この底部パネルの両端に連設した両側部パネルと、一方の側部パネルに連設した頂部パネルと、頂部パネルを他方の側部パネルに係合させる係合パネル（舌片）とが台紙により一体的に形成されている。ここで、底部パネルには、容器本体の中間部を支持する大きさの穴が形成されている。そこで、つば付き容器を底部パネルの穴に挿入し、両側部パネルをそれぞれ折り曲げて起立させ、頂部パネルを折り曲げてつば付き容器の頂部を覆った後、係合パネルを他方の側部パネルに係合させる。この種のつば付き用容器ホルダーとして、特許文献１及び２が挙げられる。
【０００３】
また立体的、例えば上下２段に重ねて配置したつば付き容器を保持させるつば付き容器用ホルダーは、下段のつば付き容器の底部を被覆する底部パネルと、上段と下段に重ねられたつば付き容器の側面を被覆する２つの側部パネルと、上段のつば付き容器の頂部を被覆する頂部パネルとが台紙により一体的に形成されている。この種のつば付き容器ホルダーとして、特許文献３が挙げられる。
【０００４】
【特許文献１】特開平１−１２４５６７号公報
【特許文献２】実開平６−５３４５０号公報
【特許文献３】特開２００８−１１４８７４号公報
【発明の開示】
【発明が解決しようとする課題】
【０００５】
平面的配置のつば付き容器用ホルダーは、つば付き容器の容器本体の中間部が底部パネルに形成した穴で保持される。このため、容器本体の中間部から頂部までの長さの側部パネルを必要とし、コスト高になるという問題があった。立体的配置のつば付き容器用ホルダーは、上下段のつば付き容器の側部を覆う長さの側部パネルを必要とするので、やはりコスト高になるという問題があった。
【０００６】
本発明の課題は、コスト低減が図れるつば付き容器用ホルダーを提供する。
【課題を解決するための手段】
【０００７】
上記課題を解決するための本発明の請求項１は、底部パネルと頂部パネルとを有したつば付き容器用ホルダーにおいて、前記底部パネルには、つば付き容器のつば部の下面を支持する大きさのつば部支持穴が形成され、前記底部パネルでつば部の下面を支持することを特徴とする。
【０００８】
上記課題を解決するための本発明の請求項２は、請求項１において、前記底部パネルと前記頂部パネル間には、最下段のつば部の厚さと、この最下段のつば付き容器に積み重ねられるつば付き容器の高さとを加えた長さの側部パネルが折り線によって連設して設けられ、前記頂部パネルの他方及び前記底部パネルの他方には、前記頂部パネルと前記底部パネルとを係合させる結合部が形成されていることを特徴とする。
【発明の効果】
【０００９】
請求項１及び２によれば、底部パネルにはつば付き容器のつば部の下面を支持する大きさのつば部支持穴が形成されており、つば部下面が底部パネルによって支持されるので、従来のような長さの側部パネルを必要としなく、コスト低減が図れる。
【発明を実施するための最良の形態】
【００１０】
本発明のつば付き容器用ホルダーの第１の実施の形態を図１及び図２により説明する。本実施の形態は、１個のつば付き容器１を保持させるつば付き容器用ホルダー１０を示す。図１に示すように、つば付き容器用ホルダー１０はシート状台紙よりなり、図２に示すつば付き容器１のつば部２下面を支持する底部パネル１１と、この底部パネル１１に連設しつば付き容器１の頂部を被覆する頂部パネル１２とを有し、底部パネル１１及び頂部パネル１２の外側には結合部１３、１４が設けられている。底部パネル１１と頂部パネル１２、底部パネル１１と結合部１３とはそれぞれ折り線１５、１６によって連設されている。
【００１１】
底部パネル１１にはつば付き容器１のつば部２の下面を支持する大きさのつば部支持穴１７が形成されている。ここで、折り線１５、１６の間隔Ｗ１は、つば付き容器１のつば部２の外径Ｄ１と等しいか若干大きく形成され、頂部パネル１２の間隔Ｗ２は間隔Ｗ１につば付き容器１のつば部２に折り曲げて重ねる長さに形成されている。即ち、つば部支持穴１７の外径Ｄ０は、つば部２の外径Ｄ１より小さく、容器本体３の上部外径Ｄ２（つば部２の下面内径）と等しいか若干大きく形成されている。一方の結合部１３には係合穴１８が設けられ、他方の結合部１４には係合穴１８が挿入される突起１９が形成されている。また底部パネル１１の他の両側部には折り線２０、２０によって端部パネル２１、２１が連設されている。
【００１２】
そこで、つば付き容器１をつば付き容器用ホルダー１０に保持させるには、つば部支持穴１７につば付き容器１の容器本体３を挿入する。これにより、つば部２の下面が底部パネル１１に支持される。次に端部パネル２１、２１を折り線２０、２０に沿って折り曲げてつば部２の上面に位置させる。これにより、つば部２の一方の両側部は端部パネル２１、２１によって覆われる。続いて頂部パネル１２を折り線１５に沿って折り曲げて、頂部パネル１２を端部パネル２１、２１上及びつば付き容器１の頂部を被覆させる。そして、突起１９を係合穴１８に係合させる。これにより、図２に示すようにつば付き容器１はつば付き容器用ホルダー１０に保持される。
【００１３】
このように、底部パネル１１にはつば付き容器１のつば部２の下面を支持する大きさのつば部支持穴１７が形成されているので、従来のような長さの側部パネルを必要としなく、コスト低減が図れる。
【００１４】
本発明のつば付き容器用ホルダーの第２の実施の形態を図３及び図４により説明する。前記第１の実施の形態は、１個のつば付き容器１を保持する容器用ホルダー１０について説明した。本実施の形態は３個のつば付き容器１を保持する容器用ホルダー１０を示す。なお、前記第１の実施の形態と同じ部分及び相当部分には同一符号を付して説明する。底部パネル１１には３個のつば部支持穴１７が設けられている。ここで、つば部支持穴１７の間隔は、つば部支持穴１７につば付き容器１を挿入した時、つば付き容器１のつば部２が重ならない間隔となっていることは言うまでもない。
【００１５】
本実施の形態においても前記実施の形態と同様にしてつば付き容器１をつば付き容器用ホルダー１０に保持させることができる。即ち、底部パネル１１の３個のつば部支持穴１７にそれぞれつば付き容器１を挿入する。これにより、つば部２の下面が底部パネル１１に支持される。次に端部パネル２１、２１を折り線２０、２０に沿って折り曲げてつば部２の上面に位置させる。これにより、つば部２の一方の両側部は端部パネル２１、２１によって覆われる。続いて頂部パネル１２を折り線１５に沿って折り曲げて、頂部パネル１２を端部パネル２１、２１上及びつば付き容器１の頂部を被覆させる。そして、突起１９を係合穴１８に係合させる。これにより、図２に示すようにつば付き容器１はつば付き容器用ホルダー１０に保持される。従って、前記実施の形態と同様の効果が得られる。
【００１６】
上記各実施の形態は、１個又は３個のつば付き容器１を１列に保持させる場合について説明したが、１列に２個又は４個以上のつば付き容器１を保持させることができることは言うまでもない。
【００１７】
本発明のつば付き容器用ホルダーの第３の実施の形態を図５及び図６により説明する。前記第１及び第２の実施の形態は、１個又は複数個のつば付き容器１を保持する容器用ホルダー１０について説明した。本実施の形態は４個（２列×２個）のつば付き容器１を保持する容器用ホルダー１０を示す。なお、前記各実施の形態と同じ部分及び相当部分には同一符号を付して説明する。底部パネル１１には２個２列に４個のつば部支持穴１７が設けられている。ここで、つば部支持穴１７の間隔は、前記実施の形態と同様につば部支持穴１７につば付き容器１を挿入した時、つば付き容器１のつば部２が重ならない間隔となっていることは言うまでもない。
【００１８】
本実施の形態においても前記実施の形態と同様にしてつば付き容器１をつば付き容器用ホルダー１０に保持させることができる。即ち、底部パネル１１の４個のつば部支持穴１７にそれぞれつば付き容器１を挿入する。これにより、つば部２の下面が底部パネル１１に支持される。次に端部パネル２１、２１を折り線２０、２０に沿って折り曲げてつば部２の上面に位置させる。これにより、つば部２の一方の両側部は端部パネル２１、２１によって覆われる。続いて頂部パネル１２を折り線１５に沿って折り曲げて、頂部パネル１２を端部パネル２１、２１上及びつば付き容器１の頂部を被覆させる。そして、突起１９を係合穴１８に係合させる。これにより、図２に示すようにつば付き容器１はつば付き容器用ホルダー１０に保持される。従って、前記実施の形態と同様の効果が得られる。
【００１９】
上記第３の実施の形態は、２列×２個のつば付き容器１を保持させる場合について説明したが、２列以上に３個以上のつば付き容器１を保持させることができることは言うまでもない。
【００２０】
本発明のつば付き容器用ホルダーの第４の実施の形態を図７及び図８により説明する。１列に２個のつば付き容器１（１Ａ、１Ｂ）を上下２段に保持するつば付き容器用ホルダー３０を示す。つば付き容器用ホルダー３０はシート状台紙よりなり、下段のつば付き容器１Ａのつば部２下面を支持する底部パネル３１と、この底部パネル３１に連設し上段のつば付き容器１Ｂの側部を被覆する側部パネル３２と、この側部パネル３２に連設し上段のつば付き容器１Ｂの頂部を被覆する頂部パネル３３と、頂部パネル３３に連設し上段のつば付き容器１Ｂの側部を被覆する側部パネル３４、底部パネル３１の他方に連設し上段のつば付き容器１Ｂを支持する上部容器支持パネル３５とを有している。底部パネル３１と側部パネル３２、底部パネル３１と上部容器支持パネル３５、側部パネル３２と頂部パネル３３、頂部パネル３３と側部パネル３４とはそれぞれ折り線３６、３７、３８、３９によって連設されている。
【００２１】
底部パネル３１には２個のつば付き容器１Ａの下面を支持する大きさのつば部支持穴４０が設けられている。ここで、つば部支持穴４０の間隔は、つば部支持穴４０につば付き容器１Ａを挿入した時、つば付き容器１Ａのつば部２が重ならない間隔となっていることは言うまでもない。頂部パネル３３の両側に形成された折り線３８、３９の間隔Ｗ３は、つば付き容器１（１Ａ、１Ｂ）のつば部２外径Ｄ１より小さく形成されている。また折り線３８、３９の部分には対となるつば部保持用切り込み４１、４２，４１、４２がつば部２の外周に沿って円弧状に形成されている。つば部保持用切り込み４１、４２，４１、４２の外側には、長穴４３、４４，４３、４４が形成されている。折り線３７に沿って複数個（実施例は３個）の係合切り込み４５が形成され、側部パネル３４の端部には係合切り込み４５に挿入される突起４６が設けられている。
【００２２】
そこで、つば付き容器１（１Ａ、１Ｂ）をつば付き容器用ホルダー３０に保持させるには、つば部支持穴４０につば付き容器１Ａの容器本体３を挿入する。これにより、つば部２の下面が底部パネル３１に支持される。次に折り線３７に沿って上部容器支持パネル３５を折り曲げてつば付き容器１Ａの頂部に位置させる。続いて折り線３６に沿って折り曲げて側部パネル３２を起立させる。そして上部容器支持パネル３５に上段のつば付き容器１Ｂを載置し、折り線３８に沿って折り曲げて頂部パネル３３をつば付き容器１Ｂの頂部を被覆させる。この場合、つば付き容器１Ｂのつば部２をつば部保持用切り込み４１、４２，４１、４２に位置させる。次に折り線３９に沿って側部パネル３４を下方に折り曲げてつば付き容器１Ｂの側方を被覆させる。そして、係合切り込み４５に突起４６を係合させる。これにより、４個のつば付き容器１（１Ａ、１Ｂ）はつば付き容器用ホルダー３０に保持される。この場合、上段のつば付き容器１Ｂのつば部２はつば部保持用切り込み４１、４２の下面に位置し、折り線３８、３９によって位置が規制され、つば付き容器１Ｂは所定の位置に保持される。
【００２３】
このように、底部パネル３１は下段のつば付き容器１Ａのつば部２下面を支持するので、側部パネル３２、３４は、つば付き容器１Ａのつば部２の厚さとつば付き容器１Ｂの高さの長さでよく、つば付き容器１Ａの側部を覆う台紙を必要としなく、コスト低減が図れる。
【００２４】
なお、上記実施の形態においては、１列に２個のつば付き容器１（１Ａ、１Ｂ）を上下２段に保持する場合について説明したが、上下２段に１個づつのつば付き容器１（１Ａ、１Ｂ）を保持、又は１列に３個以上のつば付き容器１を上下２段に保持させることができることは言うまでもない。またつば付き容器１の高さが高いものは、積み重ねる段数に限度があるが、高さが低いものは、３段以上積み重ねてもよい。この場合、側部パネル３２、３４の長さは積み重ねる段数に適合するように変える必要があることは言うまでもない。また上部容器支持パネル３５は設けなく、係合切り込み４５が形成される短い長さの結合部であってもよい。しかし、上部容器支持パネル３５を設けると、上段のつば付き容器１Ｂの自重が下段のつば付き容器１Ａにかからなくて好ましい。また長穴４３、４４，４３、４４は特に形成する必要はなく、つば部保持用切り込み４１、４２，４１、４２のみでもよい。しかし、長穴４３、４４，４３、４４を設けると、つば付き容器１Ｂのつば部２を容易につば部保持用切り込み４１、４２，４１、４２の下方に位置させることができる。
【００２５】
本発明のつば付き容器用ホルダーの第５の実施の形態を図９及び図１０により説明する本実施の形態は、前記第４の実施の形態（図７及び図８）に前記第３の実施の形態（図５及び図６）を加えた実施の形態を示す。なお、第４の実施の形態（図７及び図８）と同じ部分及び相当部分には同一符号を付して説明する。本実施の形態は、６個（２列×３個）のつば付き容器１を上下２段に保持するつば付き容器用ホルダー３０を示す。従って、前記実施の形態と異なる点は、底部パネル３１には３個２列に６個のつば部支持穴４０が設けられ、頂部パネル３３の幅は、底部パネル３１に対応した幅となっているのみである。つば付き容器用ホルダー３０によるつば付き容器１の保持方法は前記実施の形態と同じであるのでその説明は省略する。本実施の形態においても２列×３個のつば付き容器１に限定されなく、２列×２個又は２列×４個以上を組み合わせてつば付き容器１を保持させることができることは言うまでもない。
【００２６】
本発明のつば付き容器用ホルダーの第６の実施の形態を図１１及び図１２により説明する。本実施の形態は、前記第１の実施の形態（図１及び図２）と対比すれば明らかなように、図１及び図２はつば付き容器１が丸型でつば部支持穴１７を丸穴に形成した。本実施の形態はつば付き容器１が角型となっているので、つば部支持穴１７も角型となっている点が異なるのみである。そこで、図１及び図２と同じ部分及び相当部分には同じ符号を付した。即ち、各部分の構成及びつば付き容器１の保持方法は図１及び図２と同じであるので、その説明は省略する。
【００２７】
本発明のつば付き容器用ホルダーの第７の実施の形態を図１３及び図１４により説明する。前記第６の実施の形態（図１１及び図１２）は１個のつば付き容器１を保持させる場合を示す。本実施の形態は、２個のつば付き容器１（１Ａ、１Ｂ）を上下２段に保持するつば付き容器用ホルダー５０を示す。なお、前記第６の実施の形態と同じ部材及び相当部分には同一符号を付して説明する。底部パネル１１には角型のつば部支持穴１７が設けられている点は前記実施の形態と同じである。本実施の形態は、２個のつば付き容器１（１Ａ、１Ｂ）を上下２段に保持するので、底部パネル１１と頂部パネル１２間、底部パネル１１と結合部１３間、底部パネル１１と端部パネル２１、２１間にそれぞ側部パネル５１、５２、５３、５３が折り線５４、５５、５６、５７、５８、５８、５９、５９によって連設されている。ここで、側部パネル５１、５２、５３、５３は下段のつば付き容器１Ａのつば部２の厚さと上段のつば付き容器１Ｂの高さとなっている。
【００２８】
そこで、つば付き容器１（１Ａ、１Ｂ）をつば付き容器用ホルダー５０に保持させるには、つば部支持穴１７につば付き容器１Ａの容器本体３を挿入する。これにより、つば部２の下面が底部パネル１１に支持される。次に折り線５８、５８に沿って側部パネル５３、５３を起立させて上段のつば付き容器１Ｂの両側部を覆う。続いて折り線５９、５９に沿って端部パネル２１、２１を折り曲げて下段のつば付き容器１Ａの上面に位置させる。次に折り線５４、５６に沿って側部パネル５１、５２を起立させて上段のつば付き容器１Ｂの側部に位置させる。続いて折り線５５に沿って頂部パネル１２を折り曲げて上段のつば付き容器１Ｂの頂部を被覆する。そして、突起１９を係合穴１８に係合させる。これにより、つば付き容器１（１Ａ、１Ｂ）はつば付き容器用ホルダー５０に保持される。なお、本実施の形態は２個のつば付き容器１（１Ａ、１Ｂ）を積み重ねて保持させる場合について説明したが、つば付き容器１の高さが低い場合は３個以上のつば付き容器１を保持させるようにしてもよい。
【００２９】
なお上記第１、第２、第３（図１乃至図６）、第６及び第７（図１１乃至図１４）の実施の形態においては、端部パネル２１、２１を設けたが、この端部パネル２１、２１は設けなくてもよい。また底部パネル１１と頂部パネル１２を係合させるのに、結合部１３、１４として係合穴１８と突起１９を設けたが、係合穴１８ではなく切り込みでもよい。本発明は結合部１３、１４を特徴とするものではないので、他の結合方法でもよい。例えば熱シール、接着剤、紙針等で結合してもよい。
【図面の簡単な説明】
【００３０】
【図１】本発明のつば付き容器用ホルダーの第１の実施の形態を示す平面図である。
【図２】図１のつば付き容器用ホルダーでつば付き容器を保持した状態を示し、（ａ）は横断面図、（ｂ）は縦断面図、（ｃ）は斜視図である。
【図３】本発明のつば付き容器用ホルダーの第２の実施の形態を示す平面図である。
【図４】図３のつば付き容器用ホルダーでつば付き容器を保持した状態を示し、（ａ）は横断面図、（ｂ）は縦断面図、（ｃ）は斜視図である。
【図５】本発明のつば付き容器用ホルダーの第３の実施の形態を示す平面図である。
【図６】図５のつば付き容器用ホルダーでつば付き容器を保持する状態を示し、（ａ）は保持途中の斜視図、（ｂ）は保持状態の斜視図である。
【図７】本発明のつば付き容器用ホルダーの第４の実施の形態を示す平面図である。
【図８】図７のつば付き容器用ホルダーでつば付き容器を保持する状態を示し、（ａ）及び（ｂ）は保持途中の斜視図、（ｃ）は保持状態の斜視図である。
【図９】本発明のつば付き容器用ホルダーの第５の実施の形態を示す平面図である。
【図１０】図９のつば付き容器用ホルダーでつば付き容器を保持する状態を示し、（ａ）及び（ｂ）は保持途中の斜視図、（ｃ）は保持状態の斜視図である。
【図１１】本発明のつば付き容器用ホルダーの第６の実施の形態を示す平面図である。
【図１２】図１１のつば付き容器用ホルダーでつば付き容器を保持した状態を示し、（ａ）は横断面図、（ｂ）は縦断面図、（ｃ）は斜視図である。
【図１３】本発明のつば付き容器用ホルダーの第７の実施の形態を示す平面図である。
【図１４】図１３のつば付き容器用ホルダーでつば付き容器を保持する状態を示し、（ａ）及び（ｂ）は保持途中の斜視図、（ｃ）は保持状態の斜視図である。
【符号の説明】
【００３１】
１、１Ａ、１Ｂ    つば付き容器
２    つば部
３    容器本体
１０    つば付き容器用ホルダー
１１    底部パネル
１２    頂部パネル
１３、１４    結合部
１７    つば部支持穴
３０    つば付き容器用ホルダー
３１    底部パネル
３２    側部パネル
３３    頂部パネル
３４    側部パネル
３５    上部容器支持パネル
４０    つば部支持穴
４５    係合切り込み
４６    突起
５０    つば付き容器用ホルダー
５１、５２、５３    側部パネル
【図１】
2012136244.tif 000003
【図２】
2012136244.tif 000004
【図３】
2012136244.tif 000005
【図４】
2012136244.tif 000006
【図５】
2012136244.tif 000007
【図６】
2012136244.tif 000008
【図７】
2012136244.tif 000009
【図８】
2012136244.tif 000010
【図９】
2012136244.tif 000011
【図１０】
2012136244.tif 000012
【図１１】
2012136244.tif 000013
【図１２】
2012136244.tif 000014
【図１３】
2012136244.tif 000015
【図１４】
2012136244.tif 000016
【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
底部パネルと頂部パネルとを有したつば付き容器用ホルダーにおいて、前記底部パネルには、つば付き容器のつば部の下面を支持する大きさの貫通したつば部支持穴が形成され、前記底部パネル及び前記頂部パネルの外側には係合部が設けられ、前記底部パネルでつば部の下面を支持することを特徴とするつば付き容器用ホルダー。
【請求項２】
前記底部パネルと前記頂部パネル間には、最下段のつば部の厚さと、この最下段のつば付き容器に積み重ねられるつば付き容器の高さとを加えた長さの側部パネルが折り線によって連設して設けられ、前記頂部パネルの他方及び前記底部パネルの他方には、前記頂部パネルと前記底部パネルとを係合させる結合部が形成されていることを特徴とする請求項１記載のつば付き容器用ホルダー。
【請求項３】
前記底部パネルの他方には、上段のつば付き容器を支持する上部容器支持パネルが連接して設けられていることを特徴とする請求項２記載のつば付き容器用ホルダー。
【手続補正２】
【補正対象書類名】明細書
【補正対象項目名】０００７
【補正方法】変更
【補正の内容】
【０００７】
上記課題を解決するための本発明の請求項１は、底部パネルと頂部パネルとを有したつば付き容器用ホルダーにおいて、前記底部パネルには、つば付き容器のつば部の下面を支持する大きさの貫通したつば部支持穴が形成され、前記底部パネル及び前記頂部パネルの外側には係合部が設けられ、前記底部パネルでつば部の下面を支持することを特徴とする。
【手続補正３】
【補正対象書類名】明細書
【補正対象項目名】０００８
【補正方法】変更
【補正の内容】
【０００８】
上記課題を解決するための本発明の請求項２は、請求項１において、前記底部パネルと前記頂部パネル間には、最下段のつば部の厚さと、この最下段のつば付き容器に積み重ねられるつば付き容器の高さとを加えた長さの側部パネルが折り線によって連設して設けられ、前記頂部パネルの他方及び前記底部パネルの他方には、前記頂部パネルと前記底部パネルとを係合させる結合部が形成されていることを特徴とする。
上記課題を解決するための本発明の請求項３は、請求項２において、前記底部パネルの他方には、上段のつば付き容器を支持する上部容器支持パネルが連接して設けられていることを特徴とする請求項２記載のつば付き容器用ホルダー。
【手続補正４】
【補正対象書類名】明細書
【補正対象項目名】０００９
【補正方法】変更
【補正の内容】
【０００９】
請求項１及び２によれば、底部パネルにはつば付き容器のつば部の下面を支持する大きさのつば部支持穴が形成されており、つば部下面が底部パネルによって支持されるので、従来のような長さの側部パネルを必要としなく、コスト低減が図れる。
請求項３によれば、上部容器支持パネルを設けると、上段のつば付き容器の自重が下段のつば付き容器にかからなくて好ましい。
【手続補正５】
【補正対象書類名】明細書
【補正対象項目名】００１１
【補正方法】変更
【補正の内容】
【００１１】
底部パネル１１にはつば付き容器１のつば部２の下面を支持する大きさの貫通したつば部支持穴１７が形成されている。ここで、折り線１５、１６の間隔Ｗ１は、つば付き容器１のつば部２の外径Ｄ１と等しいか若干大きく形成され、頂部パネル１２の間隔Ｗ２は間隔Ｗ１につば付き容器１のつば部２に折り曲げて重ねる長さに形成されている。即ち、つば部支持穴１７の外径Ｄ０は、つば部２の外径Ｄ１より小さく、容器本体３の上部外径Ｄ２（つば部２の下面内径）と等しいか若干大きく形成されている。一方の結合部１３には係合穴１８が設けられ、他方の結合部１４には係合穴１８が挿入される突起１９が形成されている。また底部パネル１１の他の両側部には折り線２０、２０によって端部パネル２１、２１が連設されている。
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
底部パネルと頂部パネルとを有したつば付き容器用ホルダーにおいて、前記底部パネルには、つば付き容器のつば部の下面を支持する大きさの貫通したつば部支持穴が形成され、前記底部パネル及び前記頂部パネルの外側には係合部が設けられ、前記底部パネルでつば部の下面を支持し、前記底部パネルと前記頂部パネル間には、最下段のつば部の厚さと、この最下段のつば付き容器に積み重ねられるつば付き容器の高さとを加えた長さの側部パネルが折り線によって連設して設けられ、前記頂部パネルの他方及び前記底部パネルの他方には、前記頂部パネルと前記底部パネルとを係合させる結合部が形成され、前記底部パネルの他方には、上段のつば付き容器を支持する上部容器支持パネルが連接して設けられていることを特徴とするつば付き容器用ホルダー。
【手続補正２】
【補正対象書類名】明細書
【補正対象項目名】０００７
【補正方法】変更
【補正の内容】
【０００７】
上記課題を解決するための本発明の請求項１は、底部パネルと頂部パネルとを有したつば付き容器用ホルダーにおいて、前記底部パネルには、つば付き容器のつば部の下面を支持する大きさの貫通したつば部支持穴が形成され、前記底部パネル及び前記頂部パネルの外側には係合部が設けられ、前記底部パネルでつば部の下面を支持し、前記底部パネルと前記頂部パネル間には、最下段のつば部の厚さと、この最下段のつば付き容器に積み重ねられるつば付き容器の高さとを加えた長さの側部パネルが折り線によって連設して設けられ、前記頂部パネルの他方及び前記底部パネルの他方には、前記頂部パネルと前記底部パネルとを係合させる結合部が形成され、前記底部パネルの他方には、上段のつば付き容器を支持する上部容器支持パネルが連接して設けられていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項１によれば、底部パネルにはつば付き容器のつば部の下面を支持する大きさのつば部支持穴が形成されており、つば部下面が底部パネルによって支持されるので、従来のような長さの側部パネルを必要としなく、コスト低減が図れる。また上部容器支持パネルを設けると、上段のつば付き容器の自重が下段のつば付き容器にかからなくて好ましい。
【手続補正５】
【補正対象書類名】明細書
【補正対象項目名】００１０
【補正方法】変更
【補正の内容】
【００１０】
本発明のつば付き容器用ホルダーの第１の参考の形態を図１及び図２により説明する。本参考の形態は、１個のつば付き容器１を保持させるつば付き容器用ホルダー１０を示す。図１に示すように、つば付き容器用ホルダー１０はシート状台紙よりなり、図２に示すつば付き容器１のつば部２下面を支持する底部パネル１１と、この底部パネル１１に連設しつば付き容器１の頂部を被覆する頂部パネル１２とを有し、底部パネル１１及び頂部パネル１２の外側には結合部１３、１４が設けられている。底部パネル１１と頂部パネル１２、底部パネル１１と結合部１３とはそれぞれ折り線１５、１６によって連設されている。
【手続補正６】
【補正対象書類名】明細書
【補正対象項目名】００１４
【補正方法】変更
【補正の内容】
【００１４】
本発明のつば付き容器用ホルダーの第２の参考の形態を図３及び図４により説明する。前記第１の参考の形態は、１個のつば付き容器１を保持する容器用ホルダー１０について説明した。本参考の形態は３個のつば付き容器１を保持する容器用ホルダー１０を示す。なお、前記第１の参考の形態と同じ部分及び相当部分には同一符号を付して説明する。底部パネル１１には３個のつば部支持穴１７が設けられている。ここで、つば部支持穴１７の間隔は、つば部支持穴１７につば付き容器１を挿入した時、つば付き容器１のつば部２が重ならない間隔となっていることは言うまでもない。
【手続補正７】
【補正対象書類名】明細書
【補正対象項目名】００１５
【補正方法】変更
【補正の内容】
【００１５】
本参考の形態においても前記参考の形態と同様にしてつば付き容器１をつば付き容器用ホルダー１０に保持させることができる。即ち、底部パネル１１の３個のつば部支持穴１７にそれぞれつば付き容器１を挿入する。これにより、つば部２の下面が底部パネル１１に支持される。次に端部パネル２１、２１を折り線２０、２０に沿って折り曲げてつば部２の上面に位置させる。これにより、つば部２の一方の両側部は端部パネル２１、２１によって覆われる。続いて頂部パネル１２を折り線１５に沿って折り曲げて、頂部パネル１２を端部パネル２１、２１上及びつば付き容器１の頂部を被覆させる。そして、突起１９を係合穴１８に係合させる。これにより、図２に示すようにつば付き容器１はつば付き容器用ホルダー１０に保持される。従って、前記参考の形態と同様の効果が得られる。
【手続補正８】
【補正対象書類名】明細書
【補正対象項目名】００１６
【補正方法】変更
【補正の内容】
【００１６】
上記各参考の形態は、１個又は３個のつば付き容器１を１列に保持させる場合について説明したが、１列に２個又は４個以上のつば付き容器１を保持させることができることは言うまでもない。
【手続補正９】
【補正対象書類名】明細書
【補正対象項目名】００１７
【補正方法】変更
【補正の内容】
【００１７】
本発明のつば付き容器用ホルダーの第３の参考の形態を図５及び図６により説明する。前記第１及び第２の参考の形態は、１個又は複数個のつば付き容器１を保持する容器用ホルダー１０について説明した。本参考の形態は４個（２列×２個）のつば付き容器１を保持する容器用ホルダー１０を示す。なお、前記各参考の形態と同じ部分及び相当部分には同一符号を付して説明する。底部パネル１１には２個２列に４個のつば部支持穴１７が設けられている。ここで、つば部支持穴１７の間隔は、前記参考の形態と同様につば部支持穴１７につば付き容器１を挿入した時、つば付き容器１のつば部２が重ならない間隔となっていることは言うまでもない。
【手続補正１０】
【補正対象書類名】明細書
【補正対象項目名】００１８
【補正方法】変更
【補正の内容】
【００１８】
本参考の形態においても前記参考の形態と同様にしてつば付き容器１をつば付き容器用ホルダー１０に保持させることができる。即ち、底部パネル１１の４個のつば部支持穴１７にそれぞれつば付き容器１を挿入する。これにより、つば部２の下面が底部パネル１１に支持される。次に端部パネル２１、２１を折り線２０、２０に沿って折り曲げてつば部２の上面に位置させる。これにより、つば部２の一方の両側部は端部パネル２１、２１によって覆われる。続いて頂部パネル１２を折り線１５に沿って折り曲げて、頂部パネル１２を端部パネル２１、２１上及びつば付き容器１の頂部を被覆させる。そして、突起１９を係合穴１８に係合させる。これにより、図２に示すようにつば付き容器１はつば付き容器用ホルダー１０に保持される。従って、前記参考の形態と同様の効果が得られる。
【手続補正１１】
【補正対象書類名】明細書
【補正対象項目名】００１９
【補正方法】変更
【補正の内容】
【００１９】
上記第３の参考の形態は、２列×２個のつば付き容器１を保持させる場合について説明したが、２列以上に３個以上のつば付き容器１を保持させることができることは言うまでもない。
【手続補正１２】
【補正対象書類名】明細書
【補正対象項目名】００２０
【補正方法】変更
【補正の内容】
【００２０】
本発明のつば付き容器用ホルダーの第１の実施の形態を図７及び図８により説明する。１列に２個のつば付き容器１（１Ａ、１Ｂ）を上下２段に保持するつば付き容器用ホルダー３０を示す。つば付き容器用ホルダー３０はシート状台紙よりなり、下段のつば付き容器１Ａのつば部２下面を支持する底部パネル３１と、この底部パネル３１に連設し上段のつば付き容器１Ｂの側部を被覆する側部パネル３２と、この側部パネル３２に連設し上段のつば付き容器１Ｂの頂部を被覆する頂部パネル３３と、頂部パネル３３に連設し上段のつば付き容器１Ｂの側部を被覆する側部パネル３４、底部パネル３１の他方に連設し上段のつば付き容器１Ｂを支持する上部容器支持パネル３５とを有している。底部パネル３１と側部パネル３２、底部パネル３１と上部容器支持パネル３５、側部パネル３２と頂部パネル３３、頂部パネル３３と側部パネル３４とはそれぞれ折り線３６、３７、３８、３９によって連設されている。
【手続補正１３】
【補正対象書類名】明細書
【補正対象項目名】００２５
【補正方法】変更
【補正の内容】
【００２５】
本発明のつば付き容器用ホルダーの第２の実施の形態を図９及び図１０により説明する本実施の形態は、前記第１の実施の形態（図７及び図８）に前記第３の参考の形態（図５及び図６）を加えた実施の形態を示す。なお、第１の実施の形態（図７及び図８）と同じ部分及び相当部分には同一符号を付して説明する。本実施の形態は、６個（２列×３個）のつば付き容器１を上下２段に保持するつば付き容器用ホルダー３０を示す。従って、前記実施の形態と異なる点は、底部パネル３１には３個２列に６個のつば部支持穴４０が設けられ、頂部パネル３３の幅は、底部パネル３１に対応した幅となっているのみである。つば付き容器用ホルダー３０によるつば付き容器１の保持方法は前記実施の形態と同じであるのでその説明は省略する。本実施の形態においても２列×３個のつば付き容器１に限定されなく、２列×２個又は２列×４個以上を組み合わせてつば付き容器１を保持させることができることは言うまでもない。
【手続補正１４】
【補正対象書類名】明細書
【補正対象項目名】００２６
【補正方法】変更
【補正の内容】
【００２６】
本発明のつば付き容器用ホルダーの第４の参考の形態を図１１及び図１２により説明する。本参考の形態は、前記第１の実施の形態（図１及び図２）と対比すれば明らかなように、図１及び図２はつば付き容器１が丸型でつば部支持穴１７を丸穴に形成した。本実施の形態はつば付き容器１が角型となっているので、つば部支持穴１７も角型となっている点が異なるのみである。そこで、図１及び図２と同じ部分及び相当部分には同じ符号を付した。即ち、各部分の構成及びつば付き容器１の保持方法は図１及び図２と同じであるので、その説明は省略する。
【手続補正１５】
【補正対象書類名】明細書
【補正対象項目名】００２７
【補正方法】変更
【補正の内容】
【００２７】
本発明のつば付き容器用ホルダーの第３の実施の形態を図１３及び図１４により説明する。前記第４の参考の形態（図１１及び図１２）は１個のつば付き容器１を保持させる場合を示す。本実施の形態は、２個のつば付き容器１（１Ａ、１Ｂ）を上下２段に保持するつば付き容器用ホルダー５０をを示す。なお、前記第４の参考の形態と同じ部材及び相当部分には同一符号を付して説明する。底部パネル１１には角型のつば部支持穴１７が設けられている点は前記実施の形態と同じである。本実施の形態は、２個のつば付き容器１（１Ａ、１Ｂ）を上下２段に保持するので、底部パネル１１と頂部パネル１２間、底部パネル１１と結合部１３間、底部パネル１１と端部パネル２１、２１間にそれぞ側部パネル５１、５２、５３、５３が折り線５４、５５、５６、５７、５８、５８、５９、５９によって連設されている。ここで、側部パネル５１、５２、５３、５３は下段のつば付き容器１Ａのつば部２の厚さと上段のつば付き容器１Ｂの高さとなっている。
【手続補正１６】
【補正対象書類名】明細書
【補正対象項目名】００２９
【補正方法】変更
【補正の内容】
【００２９】
なお上記第１、第２、第３（図１乃至図６）、第４（図１１、図１２）の参考の形態及び第３（図１１乃至図１４）の実施の形態においては、端部パネル２１、２１を設けたが、この端部パネル２１、２１は設けなくてもよい。また底部パネル１１と頂部パネル１２を係合させるのに、結合部１３、１４として係合穴１８と突起１９を設けたが、係合穴１８ではなく切り込みでもよい。本発明は結合部１３、１４を特徴とするものではないので、他の結合方法でもよい。例えば熱シール、接着剤、紙針等で結合してもよい。
【手続補正１７】
【補正対象書類名】明細書
【補正対象項目名】００３０
【補正方法】変更
【補正の内容】
【００３０】
【図１】本発明のつば付き容器用ホルダーの第１の参考の形態を示す平面図である。
【図２】図１のつば付き容器用ホルダーでつば付き容器を保持した状態を示し、（ａ）は横断面図、（ｂ）は縦断面図、（ｃ）は斜視図である。
【図３】本発明のつば付き容器用ホルダーの第２の参考の形態を示す平面図である。
【図４】図３のつば付き容器用ホルダーでつば付き容器を保持した状態を示し、（ａ）は横断面図、（ｂ）は縦断面図、（ｃ）は斜視図である。
【図５】本発明のつば付き容器用ホルダーの第３の参考の形態を示す平面図である。
【図６】図５のつば付き容器用ホルダーでつば付き容器を保持する状態を示し、（ａ）は保持途中の斜視図、（ｂ）は保持状態の斜視図である。
【図７】本発明のつば付き容器用ホルダーの第１の実施の形態を示す平面図である。
【図８】図７のつば付き容器用ホルダーでつば付き容器を保持する状態を示し、（ａ）及び（ｂ）は保持途中の斜視図、（ｃ）は保持状態の斜視図である。
【図９】本発明のつば付き容器用ホルダーの第２の実施の形態を示す平面図である。
【図１０】図９のつば付き容器用ホルダーでつば付き容器を保持する状態を示し、（ａ）及び（ｂ）は保持途中の斜視図、（ｃ）は保持状態の斜視図である。
【図１１】本発明のつば付き容器用ホルダーの第４の参考の形態を示す平面図である。
【図１２】図１１のつば付き容器用ホルダーでつば付き容器を保持した状態を示し、（ａ）は横断面図、（ｂ）は縦断面図、（ｃ）は斜視図である。
【図１３】本発明のつば付き容器用ホルダーの第３の実施の形態を示す平面図である。
【図１４】図１３のつば付き容器用ホルダーでつば付き容器を保持する状態を示し、（ａ）及び（ｂ）は保持途中の斜視図、（ｃ）は保持状態の斜視図である。